(57)【要約】  血管異常検知装置（１）は、心電信号を検出する一対の心電電極（１１，１２）と、一方の心電電極（１１）の近傍に配設され、第１の光電脈波信号を検出する第１光電脈波センサ（２１）と、他方の心電電極（１２）の近傍に配設され、第２の光電脈波信号を検出する第２光電脈波センサ（２２）と、検出された心電信号、第１の光電脈波信号、及び第２の光電脈波信号それぞれのピークを検出するピーク部（３１６，３２６）と、心電信号のピークと第１の光電脈波信号のピークとの時間差から第１脈波伝播時間を求めるとともに、心電信号のピークと第２の光電脈波信号のピークとの時間差から第２脈波伝播時間を求める脈波伝播時間計測部（３３０）と、第１脈波伝播時間と第２脈波伝播時間との時間差に基づいて、血管の異常を検知する検知部（４０）とを備える。
2014196514.tif 000002
【特許請求の範囲】
【請求項１】
心電信号を検出する一対の心電電極と、
一方の前記心電電極の近傍に配設され、発光素子と受光素子とを有し、第１の光電脈波信号を検出する第１光電脈波センサと、
他方の前記心電電極の近傍に配設され、発光素子と受光素子とを有し、第２の光電脈波信号を検出する第２光電脈波センサと、
一対の前記心電電極により検出された心電信号、前記第１光電脈波センサにより検出された第１の光電脈波信号、及び、前記第２光電脈波センサにより検出された第２の光電脈波信号それぞれのピークを検出するピーク検出手段と、
前記心電信号のピークと前記第１の光電脈波信号のピークとの時間差から第１脈波伝播時間を求めるとともに、前記心電信号のピークと前記第２の光電脈波信号のピークとの時間差から第２脈波伝播時間を求める演算手段と、
前記第１脈波伝播時間と第２脈波伝播時間との時間差に基づいて、血管の異常を検知する検知手段と、を備えることを特徴とする血管異常検知装置。
【請求項２】
前記一対の心電電極、及び前記第１光電脈波センサ、第２光電脈波センサは、同一の筐体に、かつ、使用者が左右の手で該筐体を把持した際に、一方の手と、一方の心電電極、第１光電脈波センサとが接触し、他方の手と、他方の心電電極、第２光電脈波センサとが接触する位置に取り付けられていることを特徴とする請求項１に記載の血管異常検知装置。
【請求項３】
心電信号を検出する一対の心電電極と、
前記心電電極により検出された心電信号の極性を反転させる反転手段と、
一方の前記心電電極の近傍に配設され、発光素子と受光素子とを有し、光電脈波信号を検出する一つの光電脈波センサと、
前記心電信号、及び、前記光電脈波信号それぞれのピークを検出するピーク検出手段と、
極性が反転されていない非反転の心電信号のピークと前記光電脈波信号のピークとの時間差から第１脈波伝播時間を求めるとともに、極性が反転された心電信号のピークと前記光電脈波信号のピークとの時間差から第２脈波伝播時間を求める演算手段と、
前記第１脈波伝播時間と前記第２脈波伝播時間との時間差に基づいて、血管の異常を検知する検知手段と、を備えることを特徴とする血管異常検知装置。
【請求項４】
前記反転手段は、一方の前記心電電極からの入力信号と、他方の前記心電電極からの入力信号とを互いに入替えるスイッチであることを特徴とする請求項３に記載の血管異常検知装置。
【請求項５】
使用者と対向している筐体の面を検出する表裏検出手段をさらに備え、
前記反転手段は、前記表裏検出手段による検出結果に応じて、心電信号の極性を反転させることを特徴とする請求項３に記載の血管異常検知装置。
【請求項６】
使用者の接触の有無を検出する接触検出手段をさらに備え、
前記反転手段は、前記接触検出手段により検出された接触の有無に応じて、心電信号の極性を反転させることを特徴とする請求項３に記載の血管異常検知装置。
【請求項７】
心電信号を検出する少なくとも一対の心電電極と、
発光素子と受光素子とを有し、両手、両足に接触されて、光電脈波信号を検出する２対の光電脈波センサと、
前記心電電極により検出された心電信号、及び、前記各光電脈波センサにより検出された各光電脈波信号それぞれのピークを検出するピーク検出手段と、
前記心電信号のピークと前記各光電脈波信号それぞれのピークとの時間差から、各光電脈波信号に対応した脈波伝播時間を求める演算手段と、
対を成す光電脈波センサに対応した脈波伝播時間同士の時間差に基づいて、血管の異常を検知する検知手段と、を備えることを特徴とする血管異常検知装置。
【請求項８】
使用者の接触が検知されたとき、所定の拍数分の心電信号、第１の光電脈波信号、第２の光電脈波信号が取得されたとき、及び、対価が支払われたときのうち、少なくともいずれかの条件が満足されたときに、前記検知手段は、自動的に、血管異常の検知を開始することを特徴とする請求項１〜７のいずれか１項に記載の血管異常検知装置。
【請求項９】
所定の拍数分の心電信号、第１の光電脈波信号、第２の光電脈波信号が取得されたとき、及び／又は、血管異常の検知開始後、所定時間が経過したときに、前記検知手段は、自動的に、血管異常の検知を終了することを特徴とする請求項１〜８のいずれか１項に記載の血管異常検知装置。
【請求項１０】
自動的に、血管異常の検知を開始する際、及び／又は、血管異常の検知を終了する際に、音声及び／又は画像によるガイダンスを提示する提示手段をさらに備えることを特徴とする請求項１〜９のいずれか１項に記載の血管異常検知装置。
【発明の詳細な説明】
【技術分野】
【０００１】
本発明は、血管異常検知装置に関し、特に、脈波伝播時間を計測して血管異常を検知する血管異常検知装置に関する。
【背景技術】
【０００２】
脈波が動脈内を伝播する速度（脈波伝播速度）は、例えば動脈硬化の進行に伴って速くなり、逆に、動脈狭窄があると遅くなる傾向が見られる。このような特性を利用し、近年、脈波伝播速度（又は脈波伝播時間）を、例えば、動脈硬化や、動脈狭窄、動脈瘤等の血管の障害診断に応用した技術が提案されている（例えば特許文献１参照）。ここで、特許文献１には、被験者の異なる２つの区間で略同時に脈波伝播速度を計測、すなわち、第１区間（例えば心臓から上腕部まで）の第１脈波伝播速度と、第１区間とは異なる第２区間（例えば大腿部から足首まで）の第２脈波伝播速度を計測して、その２つの脈波伝播速度の比を算出し、その比に基づいて、血管障害を診断する技術（血管障害診断装置）が開示されている。【０００３】
より具体的には、特許文献１記載の血管障害診断装置は、被験者の胸部上に固着され、心臓（第１区間の上流端）における心拍同期信号である心音を検出する心音マイクと、右腕の上腕部（第１区間の下流端）に巻回され、カフ脈波信号すなわち上腕脈波を検出するカフ（上腕脈波センサ）とを備えている。また、この血管障害診断装置は、大腿部の体表面上に装着され、大腿部（第２区間の上流端）における心拍同期信号として、大腿脈波を検出する第１超音波受信プローブと、足首に装着され、足首（第２区間の下流端）における心拍同期信号として、足首脈波を検出する第２超音波受信プローブとを備えている。【０００４】
上述した構成を有する特許文献１記載の血管障害診断装置では、心音と上腕脈波とに基づいて、第１区間（心臓−上腕部間）における第１脈波伝播速度が計測され、大腿脈波及び足首脈波に基づいて、第２区間（大腿部−足首間）における第２脈波伝播速度が計測される。そして、第１脈波伝播速度と第２脈波伝播速度との比が算出され、その比が正常範囲外の値である場合には、いずれか一方の区間の動脈に血管障害があると診断される。
【先行技術文献】
【特許文献】
【０００５】
【特許文献１】特許第３５３０８９２号公報
【発明の概要】
【発明が解決しようとする課題】
【０００６】
上述したように、特許文献１に記載の血管障害診断装置によれば、被験者の異なる２つの区間（心臓−上腕部間、大腿部−足首間）で略同時に脈波伝播速度を計測し、その比に基づいて、血管障害を診断することができる。しかしながら、この血管障害診断装置では、心音マイク、カフ、第１超音波受信プローブ、及び、第２超音波受信プローブを備える必要があり、装置が比較的大型になる。また、脈波伝播速度を計測するためには、心音マイクを胸部上に固着し、カフを上腕部に巻回し、第１超音波受信プローブを大腿部に装着し、第２超音波受信プローブを足首に装着するとともに、これらを電子制御装置に接続する必要がある。【０００７】
このように、特許文献１に記載の血管障害診断装置は、脈波伝播速度を計測するための準備が煩雑であり、また計測手順もカフの操作等、複雑で専門的な知識も必要になるため、ユーザが自分ひとりで手軽に使用できるものではない。【０００８】
本発明は、上記問題点を解消する為になされたものであり、ユーザがひとりで使用でき、より簡便に脈波伝播時間を計測して血管異常を検知することが可能な血管異常検知装置を提供することを目的とする。
【課題を解決するための手段】
【０００９】
本発明に係る血管異常検知装置は、心電信号を検出する一対の心電電極と、一方の心電電極の近傍に配設され、発光素子と受光素子とを有し、第１の光電脈波信号を検出する第１光電脈波センサと、他方の心電電極の近傍に配設され、発光素子と受光素子とを有し、第２の光電脈波信号を検出する第２光電脈波センサと、一対の心電電極により検出された心電信号、第１光電脈波センサにより検出された第１の光電脈波信号、及び、第２光電脈波センサにより検出された第２の光電脈波信号それぞれのピークを検出するピーク検出手段と、心電信号のピークと第１の光電脈波信号のピークとの時間差から第１脈波伝播時間を求めるとともに、心電信号のピークと第２の光電脈波信号のピークとの時間差から第２脈波伝播時間を求める演算手段と、第１脈波伝播時間と第２脈波伝播時間との時間差に基づいて、血管の異常を検知する検知手段とを備えることを特徴とする。【００１０】
本発明に係る血管異常検知装置によれば、心電電極、光電脈波センサを使用しているため、使用者が触れるだけで、心電信号、光電脈波信号を取得することができる。また、一方の心電電極の近傍に第１光電脈波センサが配設され、他方の心電電極の近傍に第２光電脈波センサが配設されているため、例えば、一方の手で一方の心電電極と第１光電脈波センサに触れ、他方の手で他方の心電電極と第２光電脈波センサに触れることにより、心電信号、第１光電脈波信号、及び第２光電脈波信号を同時に取得することができる。その際に、左半身と右半身の略左右対称な身体の部位（例えば左手と右手や、左足と右足等）を心電電極、光電脈波センサに接触させることにより、第１脈波伝播時間と第２脈波伝播時間との時間差が大きい場合には、左半身又は右半身いずれかの血管に異常がある可能性があると判定することができる。よって、ユーザがひとりで使用でき、より簡便に脈波伝播時間を計測して血管異常を検知することが可能となる。【００１１】
なお、脈波伝播時間という用語は、生体の所定の２部位間を脈波が伝播する時間をさす場合と、心電信号のピークと脈波信号のピークとの時間差をいう場合とがあるが、本明細書では、以下、脈波伝播時間という用語を後者の意で用いる。【００１２】
本発明に係る血管異常検知装置では、一対の心電電極、及び第１光電脈波センサ、第２光電脈波センサが、同一の筐体に、かつ、使用者が左右の手で該筐体を把持した際に、一方の手と、一方の心電電極、第１光電脈波センサとが接触し、他方の手と、他方の心電電極、第２光電脈波センサとが接触する位置に取り付けられていることが好ましい。【００１３】
このようにすれば、右手と左手の脈波伝播時間を取得することができる。そのため、心臓から伸びる動脈が左腕と右腕とに分岐する大動脈弓から左右の手までの間の血管の異常を検知することができる。また、この場合、左右の手で同時に脈波伝播時間を計測できるため、脈波伝播時間に影響を与える心拍数変動や血圧変動による左右の脈波伝播時間のばらつきを抑制することができ、より精度よく血管の異常を検知することができる。【００１４】
本発明に係る血管異常検知装置は、心電信号を検出する一対の心電電極と、心電電極により検出された心電信号の極性を反転させる反転手段と、一方の心電電極の近傍に配設され、発光素子と受光素子とを有し、光電脈波信号を検出する一つの光電脈波センサと、心電信号、及び、光電脈波信号それぞれのピークを検出するピーク検出手段と、極性が反転されていない非反転の心電信号のピークと光電脈波信号のピークとの時間差から第１脈波伝播時間を求めるとともに、極性が反転された心電信号のピークと光電脈波信号のピークとの時間差から第２脈波伝播時間を求める演算手段と、第１脈波伝播時間と第２脈波伝播時間との時間差に基づいて、血管の異常を検知する検知手段とを備えることを特徴とする。【００１５】
本発明に係る血管異常検知装置によれば、１つの光電脈波センサで第１脈波伝播時間と第２脈波伝播時間を計測することができる。すなわち、電力を消費する光電脈波センサの数を削減することができるため、装置の低消費電力化、及び低コスト化を図ることができる。なお、心電電極を接触させる身体の部位が逆になった場合には、心電信号の極性が逆になる、すなわち心電信号に含まれるＲ波（ピーク）が上下逆転するが、心電信号の極性を反転させることでピークを正しく検出することができる。そのため、脈波伝播時間の計測、及び血管異常の検知をより正確に行うことができる。【００１６】
本発明に係る血管異常検知装置では、反転手段が、一方の心電電極からの入力信号と、他方の心電電極からの入力信号とを互いに入替えるスイッチであることが好ましい。【００１７】
このようにすれば、心電電極に接触する部位が逆になった場合であっても、スイッチ操作により心電信号の極性を反転することができる。よって、心電波形のピークを正しく検出することができる。【００１８】
本発明に係る血管異常検知装置は、使用者と対向している筐体の面を検出する表裏検出手段をさらに備え、反転手段が、表裏検出手段による検出結果に応じて、心電信号の極性を反転させることが好ましい。【００１９】
このようにすれば、使用者と対向している筐体の面（すなわち装置の裏表）が検知されることにより、使用者による装置の持ち替えを自動的に判定して、心電信号の極性を反転できるため、より簡易に血管の異常を検知することができる。【００２０】
本発明に係る血管異常検知装置は、使用者の接触の有無を検出する接触検出手段をさらに備え、反転手段が、接触検出手段により検出された接触の有無に応じて、心電信号の極性を反転させることが好ましい。【００２１】
このようにすれば、装置の把持状態が検知されることにより、使用者による装置の持ち替えを自動的に判定して、心電信号の極性を反転できるため、より簡易に血管の異常を検知することができる。【００２２】
本発明に係る血管異常検知装置は、心電信号を検出する少なくとも一対の心電電極と、発光素子と受光素子とを有し、両手、両足に接触されて、光電脈波信号を検出する２対の光電脈波センサと、心電電極により検出された心電信号、及び、各光電脈波センサにより検出された各光電脈波信号それぞれのピークを検出するピーク検出手段と、心電信号のピークと各光電脈波信号それぞれのピークとの時間差から、各光電脈波信号に対応した脈波伝播時間を求める演算手段と、対を成す光電脈波センサに対応した脈波伝播時間同士の時間差に基づいて、血管の異常を検知する検知手段とを備えることを特徴とする。【００２３】
本発明に係る血管異常検知装置によれば、一度の計測で、右手、左手、右足、左足の脈波伝播時間を取得することができる。そのため、例えば、大動脈弓から左右の手までの間の血管の異常、及び、総腸骨動脈から左右の足までの間の血管の異常を一度に検知することができる。【００２４】
本発明に係る血管異常検知装置では、使用者の接触が検知されたとき、所定の拍数分の心電信号、第１の光電脈波信号、第２の光電脈波信号が取得されたとき、及び、対価が支払われたときのうち、少なくともいずれかの条件が満足されたときに、検知手段が、自動的に、血管異常の検知を開始することが好ましい。【００２５】
このようにすれば、血管異常の検知が自動的に開始されるため、計測・検知を開始させるための動作が不要なため、開始動作に伴って発生する体動ノイズの発生がなく、比較的安静な状態での計測・検知が可能となる。【００２６】
本発明に係る血管異常検知装置では、所定の拍数分の心電信号、第１の光電脈波信号、第２の光電脈波信号が取得されたとき、及び／又は、血管異常の検知開始後、所定時間が経過したときに、検知手段が、自動的に、血管異常の検知を終了することが好ましい。【００２７】
このようにすれば、脈波伝播時間の計測・血管異常の検知が完了したときに、自動的に計測・検知が終了されるため、より簡易に、脈波伝播時間を計測して、血管異常を検知することが可能となる。【００２８】
本発明に係る血管異常検知装置は、自動的に、血管異常の検知を開始する際、及び／又は、血管異常の検知を終了する際に、音声及び／又は画像によるガイダンスを提示する提示手段をさらに備えることが好ましい。【００２９】
このようにすれば、使用者に、計測・検知の開始や、計測・検知の終了といった計測状態を知らせることができる。
【発明の効果】
【００３０】
本発明によれば、ユーザがひとりで使用でき、より簡便に脈波伝播時間を計測して血管異常を検知することが可能となる。
【図面の簡単な説明】
【００３１】
【図１】第１実施形態に係る血管異常検知装置の構成を示すブロック図である。
【図２】第１実施形態に係る血管異常検知装置の使用方法を説明するための図である。
【図３】心電波形、光電脈波波形（加速度脈波波形）、及び脈波伝播時間を示す図である。
【図４】第２実施形態に係る血管異常検知装置の構成を示すブロック図である。
【図５】第２実施形態の第１変形例に係る血管異常検知装置の構成を示すブロック図である。
【図６】第２実施形態の第２変形例に係る血管異常検知装置の構成を示すブロック図である。
【図７】第２実施形態の第２変形例に係る血管異常検知装置の使用方法を説明するための図である。
【図８】第３実施形態に係る血管異常検知装置の構成を示すブロック図である。
【図９】第３実施形態に係る血管異常検知装置を構成する本体部の外観を示す図である。
【図１０】第３実施形態に係る血管異常検知装置の使用方法を説明するための図である。
【発明を実施するための形態】
【００３２】
以下、図面を参照して本発明の好適な実施形態について詳細に説明する。なお、図中、同一又は相当部分には同一符号を用いることとする。また、各図において、同一要素には同一符号を付して重複する説明を省略する。
【００３３】
（第１実施形態）
まず、図１、図２を併せて用いて、第１実施形態に係る血管異常検知装置１の構成について説明する。図１は、血管異常検知装置１の構成を示すブロック図である。また、図２は、血管異常検知装置１の使用方法を説明するための図である。
【００３４】
血管異常検知装置１は、左右両手間の心電信号、及び、左手の指先並びに右手の指先での光電脈波信号を検出し、検出した心電信号（心電波）のＲ波ピークと光電脈波信号（脈波）のピーク（立ち上がり点）との時間差から左手及び右手それぞれの脈波伝播時間を取得する。そして、血管異常検知装置１は、取得した双方の脈波伝播時間の差に基づいて、左右の腕（心臓から伸びる動脈が右腕と左腕とに分岐する大動脈弓から左右の手までの間）の血管の異常を検知する。
【００３５】
そのため、血管異常検知装置１は、主として、両手間の心電信号を検出するための一対の心電電極（第１心電電極１１、第２心電電極１２）、左右の手の光電脈波信号（第１の光電脈波信号、第２の光電脈波信号）を検出するための２つの光電脈波センサ（第１光電脈波センサ２１、第２光電脈波センサ２２）、検出された心電信号及び第１，第２の光電脈波信号に基づいて左右の手における脈波伝播時間（第１脈波伝播時間、第２脈波伝播時間）を計測する信号処理部３１，３２、及び、第１脈波伝播時間と第２脈波伝播時間との差に基づいて血管の異常を検知する検知部４０を備えている。以下、各構成要素について詳細に説明する。
【００３６】
第１心電電極１１及び第２心電電極１２は、心電信号を検出するものであり、図２に示されるように、使用者が血管異常検知装置１の筐体５を両手で把持したときに、例えば人差し指と接触するように、筐体５の左右の側面に取り付けられている。すなわち、使用者が筐体５（血管異常検知装置１）を把持したときに、第１心電電極１１及び第２心電電極１２は、使用者の左右の手（指先）が接触することにより、使用者の左右の手の間の電位差に応じた心電信号を取得する。第１心電電極１１、第２心電電極１２の電極材料としては、例えば、金属（ステンレス、Ａｕ等の腐食に強く金属アレルギーの少ないものが好ましい）や導電ゲル、導電ゴム、導電布等が好適に用いられる。その他、第１心電電極１１、第２心電電極１２の電極材料として、例えば、導電プラスチック、容量性結合電極等を用いることもできる。第１心電電極１１及び第２心電電極１２それぞれは、ケーブルを通して、信号処理部３１，３２と接続されており、該ケーブルを介して、心電信号を信号処理部３１，３２へ出力する。
【００３７】
第１，第２光電脈波センサ２１，２２は、血中ヘモグロビンの吸光特性を利用して、光電脈波信号を光学的に検出するセンサである。そのため、第１，第２光電脈波センサ２１，２２それぞれは、発光素子２１１，２２１と受光素子２１２，２２２とを含んで構成されている。ここで、第１の光電脈波信号を検出する第１光電脈波センサ２１は、一方の心電電極１１の近傍に（例えば横に並べて）配設されている。同様に、第２の光電脈波信号を検出する第２光電脈波センサ２２は、他方の心電電極１２の近傍に配設されている。すなわち、一対の第１，第２心電電極１１，１２、及び第１光電脈波センサ２１、第２光電脈波センサ２２は、同一の筐体５に、かつ、使用者が左右の手で該筐体５を把持した際に、一方の手（例えば左手）と第１心電電極１１、第１光電脈波センサ２１とが接触し、他方の手（例えば右手）と第２心電電極１２、第２光電脈波センサ２２とが接触する位置に取り付けられている。
【００３８】
発光素子２１１，２２１は、信号処理部３１，３２の駆動部３５０から出力されるパルス状の駆動信号に応じて発光する。発光素子２１１，２２１としては、例えば、ＬＥＤ、ＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ）、又は共振器型ＬＥＤ等を用いることができる。なお、駆動部３５０は、発光素子２１１を駆動するパルス状の駆動信号を生成して出力する。
【００３９】
受光素子２１２，２２２は、発光素子２１１，２２１から照射され、例えば指先を透過して、又は指先に反射して入射される光の強さに応じた検出信号を出力する。受光素子２１２，２２２としては、例えば、フォトダイオードやフォトトランジスタ等が好適に用いられる。本実施形態では、受光素子２１２，２２２として、フォトダイオードを用いた。受光素子２１２，２２２は、信号処理部３１，３２に接続されており、受光素子２１２，２２２で得られた検出信号（光電脈波信号）は信号処理部３１，３２に出力される。
【００４０】
上述したように、第１心電電極１１、第２心電電極１２、及び第１光電脈波センサ２１それぞれは、信号処理部３１に接続されており、検出された心電信号、及び第１の光電脈波信号が信号処理部３１に入力される。同様に、第１心電電極１１、第２心電電極１２、及び第２光電脈波センサ２２それぞれは、信号処理部３２に接続されており、検出された心電信号、及び第２の光電脈波信号が信号処理部３２に入力される。
【００４１】
信号処理部３１は、検出した心電信号（心電波）のＲ波ピークと第１の光電脈波信号（脈波）のピーク（立ち上がり点）との時間差から第１脈波伝播時間（左手の指先での脈波伝播時間）を計測する（図３参照）。同様に、信号処理部３２は、検出した心電信号のＲ波ピークと第２の光電脈波信号のピークとの時間差から第２脈波伝播時間（右手の指先での脈波伝播時間）を計測する。また、信号処理部３１，３２は、入力された心電信号を処理して、心拍数や心拍間隔などを計測する。さらに、信号処理部３１，３２は、入力された光電脈波信号を処理して、脈拍数や脈拍間隔などを計測する。なお、信号処理部３１の構成と信号処理部３２の構成とは、同一であるので、以下、信号処理部３１を主にして説明する。
【００４２】
信号処理部３１（３２）は、増幅部３１１，３２１、第１信号処理部３１０、第２信号処理部３２０、ピーク検出部３１６，３２６、ピーク補正部３１８，３２８、及び脈波伝播時間計測部３３０を有している。また、上記第１信号処理部３１０は、アナログフィルタ３１２、Ａ／Ｄコンバータ３１３、ディジタルフィルタ３１４を有している。一方、第２信号処理部３２０は、アナログフィルタ３２２、Ａ／Ｄコンバータ３２３、ディジタルフィルタ３２４、２階微分処理部３２５を有している。
【００４３】
ここで、上述した各部の内、ディジタルフィルタ３１４，３２４、２階微分処理部３２５、ピーク検出部３１６，３２６、ピーク補正部３１８，３２８、脈波伝播時間計測部３３０は、演算処理を行うＣＰＵ、該ＣＰＵに各処理を実行させるためのプログラムやデータを記憶するＲＯＭ、及び演算結果などの各種データを一時的に記憶するＲＡＭ等により構成されている。すなわち、ＲＯＭに記憶されているプログラムがＣＰＵによって実行されることにより、上記各部の機能が実現される。
【００４４】
増幅部３１１は、例えばオペアンプ等を用いた増幅器により構成され、第１心電電極１１、第２心電電極１２により検出された心電信号を増幅する。増幅部３１１で増幅された心電信号は、第１信号処理部３１０に出力される。同様に、増幅部３２１は、例えばオペアンプ等を用いた増幅器により構成され、第１（第２）光電脈波センサ２１（２２）により検出された第１（第２）光電脈波信号を増幅する。増幅部３２１で増幅された光電脈波信号は、第２信号処理部３２０に出力される。
【００４５】
第１信号処理部３１０は、上述したように、アナログフィルタ３１２、Ａ／Ｄコンバータ３１３、ディジタルフィルタ３１４を有しており、増幅部３１１で増幅された心電信号に対して、フィルタリング処理を施すことにより拍動成分を抽出する。
【００４６】
また、第２信号処理部３２０は、上述したように、アナログフィルタ３２２、Ａ／Ｄコンバータ３２３、ディジタルフィルタ３２４、２階微分処理部３２５を有しており、増幅部３２１で増幅された第１（第２）光電脈波信号に対して、フィルタリング処理及び２階微分処理を施すことにより拍動成分を抽出する。
【００４７】
アナログフィルタ３１２，３２２、及び、ディジタルフィルタ３１４，３２４は、心電信号、第１（第２）光電脈波信号を特徴づける周波数以外の成分（ノイズ）を除去し、Ｓ／Ｎを向上するためのフィルタリングを行う。より詳細には、心電信号は一般的に０．１〜２００Ｈｚの周波数成分、光電脈波信号は０．１〜数十Ｈｚ付近の周波数成分が支配的であるため、ローパスフィルタやバンドパスフィルタ等のアナログフィルタ３１２，３２２、及びディジタルフィルタ３１４，３２４を用いてフィルタリング処理を施し、上記周波数範囲の信号のみを選択的に通過させることによりＳ／Ｎを向上する。
【００４８】
なお、拍動成分の抽出のみを目的とする場合（すなわち、波形等を取得する必要がない場合）には、ノイズ耐性を向上するために通過周波数範囲をより狭くして拍動成分以外の成分を遮断してもよい。また、アナログフィルタ３１２，３２２とディジタルフィルタ３１４，３２４は必ずしも両方備える必要はなく、アナログフィルタ３１２，３２２とディジタルフィルタ３１４，３２４のいずれか一方のみを設ける構成としてもよい。なお、アナログフィルタ３１２、ディジタルフィルタ３１４によりフィルタリング処理が施された心電信号は、ピーク検出部３１６へ出力される。同様に、アナログフィルタ３２２、ディジタルフィルタ３２４によりフィルタリング処理が施された第１（第２）光電脈波信号は、２階微分処理部３２５へ出力される。
【００４９】
２階微分処理部３２５は、第１（第２）光電脈波信号を２階微分することにより、２階微分脈波（加速度脈波）信号を取得する。取得された加速度脈波信号は、ピーク検出部３２６へ出力される。なお、光電脈波のピーク（立ち上がり点）は変化が明確でなく検出しにくいことがあるため、加速度脈波に変換してピーク検出を行うことが好ましいが、２階微分処理部３２５を設けることは必須ではなく、省略した構成としてもよい。
【００５０】
ピーク検出部３１６は、第１信号処理部３１０により信号処理が施された（拍動成分が抽出された）心電信号のピーク（Ｒ波）を検出する。一方、ピーク検出部３２６は、第２信号処理部３２０によりフィルタリング処理が施された第１（第２）光電脈波信号（加速度脈波）のピーク（立ち上がり点）を検出する。すなわち、ピーク検出部３１６，３２６は、請求の範囲に記載のピーク検出手段として機能する。なお、ピーク検出部３１６、及びピーク検出部３２６それぞれは、心拍間隔、及び脈拍間隔の正常範囲内においてピーク検出を行い、検出したすべてのピークについて、ピーク時間、ピーク振幅等の情報をＲＡＭ等に保存する。
【００５１】
ピーク補正部３１８は、第１信号処理部３１０（アナログフィルタ３１２、ディジタルフィルタ３１４）における心電信号の遅延時間を求める。ピーク補正部３１８は、求めた心電信号の遅延時間に基づいて、ピーク検出部３１６により検出された心電信号のピークを補正する。同様に、ピーク補正部３２８は、第２信号処理部３２０（アナログフィルタ３２２、ディジタルフィルタ３２４、２階微分処理部３２５）における光電脈波信号の遅延時間を求める。ピーク補正部３２８は、求めた光電脈波信号の遅延時間に基づいて、ピーク検出部３２６により検出された第１（第２）光電脈波信号（加速度脈波信号）のピークを補正する。補正後の心電信号のピーク、及び補正後の第１（第２）光電脈波信号（加速度脈波）のピークは、脈波伝播時間計測部３３０に出力される。なお、ピーク補正部３１８を設けることは必須ではなく、省略した構成としてもよい。
【００５２】
脈波伝播時間計測部３３０は、ピーク補正部３１８により補正された心電信号のＲ波（ピーク）と、ピーク補正部３２８により補正された第１（第２）光電脈波信号（加速度脈波）のピーク（立ち上がり点）との間隔（時間差）から第１（第２）脈波伝播時間を求める。すなわち、脈波伝播時間計測部３３０は、請求の範囲に記載の演算手段として機能する。ここで、信号処理部３１の脈波伝播時間計測部３３０は、第１脈波伝播時間、すなわち左手の指先での脈波伝播時間を取得する。同様に、信号処理部３２の脈波伝播時間計測部３３０は、第２脈波伝播時間、すなわち右手の指先での脈波伝播時間を取得する。ここで、心電信号のＲ波（ピーク）と第１（第２）光電脈波信号（加速度脈波）のピークとの間隔から求められる脈波伝播時間を図３に示す。なお、図３では、心電信号の波形を細い実線で示すとともに、第１（第２）光電脈波信号を破線で示した。また、加速度脈波の波形を太い実線で示した。
【００５３】
脈波伝播時間計測部３３０は、第１（第２）脈波伝播時間に加えて、例えば、心電信号から心拍数、心拍間隔、心拍間隔変化率等も算出する。同様に、脈波伝播時間計測部３３０は、光電脈波信号（加速度脈波）から脈拍数、脈拍間隔、脈拍間隔変化率等も算出する。信号処理部３１，３２は、脈波伝播時間計測部３３０で取得した第１，第２脈波伝播時間等を検知部４０に出力する。
【００５４】
検知部４０は、第１脈波伝播時間（左手の指先での脈波伝播時間）と第２脈波伝播時間（右手の指先での脈波伝播時間）との時間差に基づいて、左右の腕（大動脈弓から左右の手（指先）までの間）の血管の異常を検知する。すなわち、検知部４０は、請求の範囲に記載の検知手段として機能する。ちなみに、心電と指先での光電脈波のピークから算出した脈波伝播時間は通常０．１〜０．３ｓｅｃ．程度の値を示す。
【００５５】
より具体的には、検知部４０は、取得した左右の手の第１，第２脈波伝播時間の時間差を、予めメモリに記憶されている左右の手の脈波伝播時間の差の血管異常が疑われる範囲と比較し、範囲外になった場合に血管異常と判定する。また、検知部４０は、算出した第１，第２脈波伝播時間を、予めメモリに記憶されている脈波伝播時間単体の血管異常が疑われる範囲と比較し、範囲外になった場合に血管異常と判定する。なお、脈波伝播時間は腕の長さや、血圧、心拍数に影響を受けるため、計測の前に使用者（被測定者）の腕の長さや、血圧、心拍数を入力することで上記判定基準範囲を補正する機能を付加してもよい。
【００５６】
検知された血管異常情報（すなわち、血管異常の有無等の検知結果）をはじめ、算出された脈波伝播時間、心拍数、心拍間隔、脈拍数、脈拍間隔、心電波、光電脈波、及び加速度脈波等の計測データは、表示部５０等に出力される。なお、取得された脈波伝播時間や、心拍数、脈拍数等の計測データは、例えば、上述したＲＡＭなどに蓄積して記憶しておき、計測が終了した後に、パーソナルコンピュータ（ＰＣ）等に出力して確認するようにしてもよい。
【００５７】
表示部５０は、例えば、液晶ディスプレイ（ＬＣＤ）等からなり、検知された血管異常情報や、取得された脈波伝達時間、心拍数、脈拍数等の計測データ（計測結果）をリアルタイムに表示する。また、上記情報を、通信部６０を介して、例えば、ＰＣや、ディスプレイを有する携帯型音楽プレーヤ、又はスマートフォン等に送信して表示させる構成とすることもできる。なお、その場合には、測定結果や検知結果に加えて、測定日時等のデータも送信することが好ましい。
【００５８】
次に、図２を参照しつつ、血管異常検知装置１の使用方法について説明する。なお、図２は、血管異常検知装置１の使用方法を説明するための図である。心電信号計測装置１を用いて血管異常を検知する際には、まず、使用者が、筐体５（血管異常検知装置１）を両手で把持し、左手の指先を第１心電電極１１及び第１光電脈波センサ２１に接触させるとともに、右手の指先を第２心電電極１２及び第２光電脈波センサ２２に接触させる。
【００５９】
そうすることにより、両手間の心電信号、及び、左手の指先での第１の光電脈波信号、並びに右手の指先での第２の光電脈波信号が取得される。そして、左手の指先での第１脈波伝播時間、及び右手の指先での第２脈波伝播時間が取得される。なお、第１，第２第脈波伝播時間の取得方法については上述した通りであるので、ここでは詳細な説明を省略する。そして、第１脈波伝播時間と第２脈波伝播時間との時間差から血管異常が検知される。その結果、心臓から伸びる動脈が右腕と左腕とに分岐する大動脈弓から左右の手までの間の血管の異常が検知される。
【００６０】
このようにして、ユーザは、筐体５（血管異常検知装置１）を把持して、左手の指先で第１心電電極１１及び第１光電脈波センサ２１に触れるとともに、右手の指先で第２心電電極１２及び第２光電脈波センサ２２に触れるだけで、血管の異常を検知することができる。
【００６１】
以上、本実施形態によれば、第１，第２心電電極１１，１２、第１，第２光電脈波センサ２１，２２を使用しているため、使用者が触れるだけで、心電信号、光電脈波信号を取得することができる。また、第１心電電極１１の近傍に第１光電脈波センサ２１が配設され、第２心電電極１２の近傍に第２光電脈波センサ２２が配設されているため、例えば、一方の手（左手）で第１心電電極１１と第１光電脈波センサ２１に触れ、他方の手（右手）で第２心電電極１２と第２光電脈波センサ２２に触れることにより、心電信号、第１光電脈波信号、及び第２光電脈波信号を同時に取得することができる。特に、本実施形態によれば、左手と右手の脈波伝播時間（第１脈波伝播時間、第２脈波伝播時間）を取得することができるため、心臓から伸びる動脈が左腕と右腕とに分岐する大動脈弓から左右の手までの間の血管の異常を検知することができる。よって、ユーザがひとりで使用でき、より簡便に脈波伝播時間を計測して血管異常を検知することが可能となる。
【００６２】
また、本実施形態によれば、左右の手で同時に第１，第２脈波伝播時間を計測できるため、脈波伝播時間に影響を与える心拍数変動や血圧変動による左右の脈波伝播時間のばらつきを抑制することができ、より精度よく血管の異常を検知することができる。
【００６３】
（第２実施形態）
上述した第１実施形態に係る血管異常検知装置１では、２つの光電脈波センサ（第１光電脈波センサ２１、第２光電脈波センサ２２）を備え、左右の手（指先）の光電脈波信号（第１の光電脈波信号、第２の光電脈波信号）を同時に取得したが、使用者の左手又は右手が接触する箇所にのみ配置された１つの光電脈波センサ（第１光電脈波センサ２１）と、記憶部３４０と、心電信号の極性を反転する切り替えスイッチ７０とを備え、一方の手（例えば左手）で第１の光電脈波信号（第１脈波伝播時間）を取得した後に、装置を持ち替えて、他方の手（例えば右手）で第２の光電脈波信号（第２脈波伝播時間）を取得し、双方の時間差を算出する構成とすることもできる。
【００６４】
そこで、次に、図４を用いて、第２実施形態に係る血管異常検知装置２の構成について説明する。ここでは、上述した第１実施形態に係る血管異常検知装置１と同一・同様な構成については説明を簡略化又は省略し、異なる点を主に説明する。図４は、第２実施形態に係る血管異常検知装置２の構成を示すブロック図である。なお、図４において第１実施形態と同一又は同等の構成要素については同一の符号が付されている。
【００６５】
血管異常検知装置２は、第２の光電脈波信号を検出する第２光電脈波センサ２２、及び、第２の光電脈波信号に基づいて脈波伝播時間（第２脈波伝播時間）を計測する信号処理部３２を備えていない点で、上述した血管異常検知装置１と異なっている。また、血管異常検知装置２は、スイッチ７０、及び記憶部３４０を備えている点で血管異常検知装置１と異なっている。その他の構成は、上述した血管異常検知装置１と同一又は同様であるので、ここでは詳細な説明を省略する。
【００６６】
血管異常検知装置２の筺体５Ｂは、薄型の略直方体形状を有しており、その表面及び裏面には、表示部５０が取り付けられている。第１心電電極１１（及び第１光電脈波センサ２１）と第２心電電極１２とは、筺体５Ｂの表裏に対して略対称な位置に配設されている。そのため、筺体５Ｂを裏返した状態で把持すると、第１，第２心電電極１１，１２及び第１光電脈波センサ２１に接触する手が逆になり、心電信号、光電脈波信号を左右逆の人差し指で取得することになる。ここで、心電波形は左右の手が入れ替わると反転するため、左右の脈波伝播時間を測定するためには、左右の持ち替えに対して心電波形を反転させることが必要となる。そこで、スイッチ７０は、第１心電電極１１からの入力信号と第２心電電極１２からの入力信号とを互いに入替えることにより、第１，第２心電電極１１，１２により検出されたる心電信号の極性を反転させる。すなわち、スイッチ７０は、請求の範囲に記載の反転手段として機能する。
【００６７】
記憶部３４０は、上述したＲＡＭ等から構成され、心電信号と第１の光電脈波信号に基づいて取得された脈波伝播時間（第１脈波伝播時間）を一時的に記憶する。
【００６８】
なお、検知部４０は、記憶部３４０に記憶されている第１脈波伝播時間（例えば左手指先での脈波伝播時間）と、その後（筐体５Ｂを持ち替えた後）取得された第２脈波伝播時間（右手指先での脈波伝播時間）との時間差に基づいて、左右の腕（大動脈弓から左右の手までの間）の血管の異常を検知する。なお、血管異常検知装置２の裏表両面に表示部５０を配置する場合、心電信号の反転に連動して、表側の表示部５０の表示をＯＦＦにし、裏側の表示部５０の表示をＯＮにする。
【００６９】
心電信号計測装置２を用いて血管異常を検知する際には、使用者が、筐体５Ｂ（血管異常検知装置２）を把持し、例えば左手の指先を第１心電電極１１及び第１光電脈波センサ２１に接触するとともに、右手の指先を第２心電電極１２に接触する。そうすることにより、両手間の心電信号（極性が反転されていない非反転の心電信号）、及び、左手の指先での第１の光電脈波信号が取得される。そして、左手の指先での第１脈波伝播時間が取得され、記憶部３４０に記憶される。
【００７０】
続いて、心電信号の極性を反転させるようにスイッチ７０を切り替えた後、筐体５Ｂ（血管異常検知装置２）を持ち替え、右手の指先を第１心電電極１１及び第１光電脈波センサ２１に接触するとともに、左手の指先を第２心電電極１２に接触する。そうすることにより、両手間の心電信号（極性が反転された心電信号）、及び、右手の指先での第２の光電脈波信号が取得され、第２の脈波伝播時間が計測される。
【００７１】
そして、記憶部３４０に記憶されている第１脈波伝播時間と、その後計測された第２脈波伝播時間との時間差から血管異常が検知される。その結果、心臓から伸びる動脈が右腕と左腕とに分岐する大動脈弓から左右の手までの間の血管の異常が検知される。
【００７２】
本実施形態によれば、１つの光電脈波センサ２１で第１脈波伝播時間と第２脈波伝播時間を計測することができる。すなわち、電力を消費する光電脈波センサの数を削減することができるため、装置の低消費電力化、及び低コスト化を図ることができる。なお、第１，第２心電電極１１，１２を接触させる身体の部位が逆になった場合には、心電信号の極性が逆になる。すなわち心電信号に含まれるＲ波（ピーク）が上下逆転するが、心電信号の極性を反転させることでピークを正しく検出することができる。そのため、脈波伝播時間の計測、及び血管異常の検知をより正確に行うことができる。
【００７３】
また、本実施形態によれば、スイッチ操作により心電信号の極性を反転することができる。さらに、本実施形態によれば、表示部５０の表示が心電信号の反転と連動して切り替えられるため、筐体５Ｂを裏返したときに心電信号の反転が正しく行われなかった場合には、裏面の表示部５０がオンされないため、心電信号が反転されていないことによる計測・検知ミスを防止することができる。
【００７４】
（第２実施形態の第１変形例）
上述した血管異常検知装置２では、心電信号の極性をスイッチ７０の操作で切り替えたが、筺体５Ｂの把持状態を検出して心電信号の極性を自動的に切り換える構成とすることもできる。
【００７５】
そこで、次に、図５を用いて、第２実施形態の第１変形例に係る血管異常検知装置２Ｂの構成について説明する。ここでは、上述した第２実施形態に係る血管異常検知装置２と同一・同様な構成については説明を簡略化又は省略し、異なる点を主に説明する。図５は、第２実施形態の第１変形例に係る血管異常検知装置２の構成を示すブロック図である。なお、図５において第２実施形態と同一又は同等の構成要素については同一の符号が付されている。
【００７６】
血管異常検知装置２Ｂは、使用者と対向している血管異常検知装置２Ｂ（筺体５Ｂ）の面（すなわち、上を向いている面）を検出する表裏検出部７１を備えている点、及び、上述したスイッチ７０に代えて、表裏検出部７１による検出結果に応じて、心電信号の極性を反転させる反転部３１５を備えている点で、上述した血管異常検知装置２と異なっている。その他の構成は、上述した血管異常検知装置２と同一又は同様であるので、ここでは詳細な説明を省略する。
【００７７】
ここで、表裏検出部７１としては、例えば、加速度センサ、傾斜センサ、又は、照度センサ等を用いることができる。表裏検出部７１は、請求の範囲に記載の表裏検出手段として機能する。
【００７８】
反転部３１５は、ディジタルフィルタ３１４とピーク検出部３１６との間に配設され、表裏検出部７１による検出結果に応じて、心電信号の極性を反転させる。すなわち、心電波を上下反転させる。すなわち、反転部３１５は、請求の範囲に記載の反転手段として機能する。このようにすれば、第１，第２心電電極１１，１２を接触させる生体の部位（左右の手）が逆になった場合に、心電信号の極性を反転させることでピークを正しく検出することができ、脈波伝播時間を精度よく計測することができる。
【００７９】
本変形例によれば、使用者と対向している筐体５Ｂの面（すなわち血管異常検知装置２Ｂの裏表）が検知されることにより、使用者による装置２Ｂの持ち替えを自動的に判定して、心電信号の極性を反転できるため、より簡易に血管の異常を検知することができる。
【００８０】
（第２実施形態の第２変形例）
ところで、上述した形態では、第１心電電極１１（及び第１光電脈波センサ２１）と第２心電電極１２とが筺体５Ｂの表裏に対して略対称な位置に配設されていたが、第１光電脈波センサ２１を例えば親指が接触する箇所に配設するとともに、第１心電電極１１（及び第１光電脈波センサ２１）と第２心電電極１２とが、図７に示されるように、筐体５Ｂの中心軸に対して略対称となるように配置してもよい。なお、図７は、第２実施形態の第２変形例に係る血管異常検知装置２Ｂの使用方法を説明するための図である。
【００８１】
この場合には、例えば、左手親指に第１光電脈波センサ２１が接触している状態で第１の光電脈波信号を計測した後、血管異常検知装置２Ｂを１８０°回転させて右手親指で第２の光電脈波信号を計測する。ここで、筐体５Ｂの把持状態（血管異常検知装置２Ｂの回転状態）は、上述した表裏検出部７１に代えて、使用者の接触の有無を検出する接触検出部７２を備えることにより検出することができる（図６参照）。該接触検出部７２は、請求の範囲に記載の接触検出手段として機能する。ここで、接触検出部７２としては、例えば、近接センサ、圧力センサ、又はスイッチ等を用いることができる。すなわち、図７に示されるように、親指の付け根や手のひらの接触／近接を接触検知部７２で検出することにより、筐体５Ｂの把持方向（持ち替え）を判定し、心電信号を自動的に反転させることができる。なお、この場合、表示部５０の表示は、心電信号の反転と連動して１８０°回転（すなわち上下逆に）される。
【００８２】
本変形例によっても、血管異常検知装置２Ｂの把持状態が検知されることにより、使用者による装置の持ち替えを自動的に判定して、心電信号の極性を反転できるため、より簡易に血管の異常を検知することができる。
【００８３】
（第３実施形態）
上述した第１実施形態では、第１心電電極１１、第２心電電極１２、第１光電脈波センサ２１、第２光電脈波センサ２２を備え、左右の手の指先から脈波伝播時間を取得したが、両手に加えて、さらに、両足の脈波伝播時間を取得して、両足の血管異常を検知する構成とすることもできる。
【００８４】
次に、図８，９，１０を併せて用いて、第３実施形態に係る血管異常検知装置３の構成について説明する。ここでは、上述した第１実施形態に係る血管異常検知装置１と同一・同様な構成については説明を簡略化又は省略し、異なる点を主に説明する。図８は、血管異常検知装置３の構成を示すブロック図である。図９は、血管異常検知装置３を構成する本体部６の外観を示す図である。図１０は、血管異常検知装置３の使用方法を説明するための図である。なお、図８，９，１０において第１実施形態と同一又は同等の構成要素については同一の符号が付されている。
【００８５】
血管異常検知装置３は、心電信号を検出するための心電電極（第３心電電極１３、第４心電電極１４）、左右の足の光電脈波信号（第３の光電脈波信号、第４の光電脈波信号）を検出するための２つの光電脈波センサ（第３光電脈波センサ２３、第４光電脈波センサ２４）、検出された心電信号及び第３，第４の光電脈波信号に基づいて左右の足における脈波伝播時間（第３脈波伝播時間、第４脈波伝播時間）を計測する信号処理部３３，３４、及び、第１脈波伝播時間と第２脈波伝播時間との差、及び、第３脈波伝播時間と第４脈波伝播時間との差に基づいて両手間、両足間の血管異常を検知する検知部４０Ｂをさらに備えている点で、上述した血管異常検知装置１と異なっている。その他の構成は、上述した血管異常検知装置１と同一又は同様であるので、ここでは詳細な説明を省略する。
【００８６】
血管異常検知装置３は、床面等に置いて使用する本体部６と、該本体部６とケーブル８により電気的に接続され、使用者が両手で把持するグリップ型の測定プローブ７とを備えている。ここで、第１，第２光電脈波センサ２１，２２、及び、第１，第２心電電極１１，１２は、グリップ型の測定プローブ７の左右の手に接触する部分に設置されており、第３，第４光電脈波センサ２３，２４、及び、第３，第４心電電極１３，１４は、本体部６上の左右の足裏に接触する部分に配設されている（なお、第３心電電極１３と第４心電電極１４とはショートされている）。このように第１〜４光電脈波センサ２１〜２４が配置されることにより、左手と右手、左足裏と右足裏で光電脈波信号が取得される。なお、測定部位としては、手のひら、及び足親指の腹側が好ましいが、前腕部、足背部、下腿部等であってもよい。また、上述したように第１〜４心電電極１１〜１４が配設されることにより、両手の間、又は片手と足裏との間で心電信号が取得される。
【００８７】
検知部４０Ｂは、両手の間、又は手と足との間（特に、両手間では心電振幅が小さく安定して計測できない場合）で測定した心電信号と、左足裏、右足裏、左手、右手でそれぞれ測定した光電脈波信号とから、左手、右手、左足、右足の脈波伝播時間を測定し、それぞれの値、左手と右手の脈波伝播時間の時間差、及び、左足と右足の脈波伝播時間の時間差から、腕（大動脈弓から手まで）、及び、脚（総腸骨動脈から足まで）の血管異常を検知する。
【００８８】
ところで、心電信号のピークと、足裏での光電脈波信号のピークとから算出した脈波伝播時間は、通常、０．１〜０．４ｓｅｃ．程度の値となり、手での値より大きい。このため、足の脈波伝搬時間に関しても、脈波伝播時間単体での血管異常が疑われる範囲、及び、左右の脚での脈波伝播時間の時間差について血管異常が疑われる範囲（判定基準範囲）を決定し、予め記憶部３４０に保存しておく。検知部４０Ｂは、左右の手の脈波伝播時間、左右の足の脈波伝播時間の合計４個のデータに基づいて、単体及び左右差の血管異常判定を行う。ここで、腕の脈波伝播時間が腕の長さに影響されるのと同様に、脚の脈波伝播時間は体幹部及び脚の長さや、血圧、心拍数の影響を受けるため、測定の前に使用者（被測定者）の身体データや、血圧、心拍数を入力することで上記判定基準範囲を補正する機能が付加されていてもよい。
【００８９】
本実施形態によれば、一度の計測で、左手、右手、左足、右足の脈波伝播時間を取得することができる。そのため、例えば、大動脈弓から左右の手までの間の血管の異常、及び、総腸骨動脈から左右の足までの間の血管の異常を一度に検知することができる。
【００９０】
（第４実施形態）
ところで、上述した、脈波伝播時間の取得、及び血管異常検知の開始・終了は自動的に行うようにしてもよい。また、自動的に開始する際、及び／又は、終了する際に、音声又は映像によるガイダンスを行う構成としてもよい。
【００９１】
本実施形態では、例えば、使用者の接触が検知されたとき、所定の拍数分（例えば数拍）の心電信号、第１の光電脈波信号、第２の光電脈波信号が取得されたとき、及び、対価が支払われたときのうち、少なくともいずれかの条件が満足されたときに、検知部４０が、自動的に、血管異常の検知を開始する。
【００９２】
また、本実施形態では、所定の拍数分（例えば３０拍分）の心電信号、第１の光電脈波信号、第２の光電脈波信号が取得されたとき、及び／又は、血管異常の検知開始後、所定時間（例えば３０秒）が経過したときに、検知部４０が、自動的に、血管異常の検知を終了する。
【００９３】
さらに、本実施形態では、自動的に血管異常の検知を開始する際、及び／又は、血管異常の検知を終了する際に、スピーカ７３や表示部５０により、音声及び／又は画像によるガイダンスが提示される。すなわち、スピーカ７３や表示部５０は、請求の範囲に記載の提示手段に相当する。
【００９４】
本実施形態によれば、血管異常の検知が自動的に開始されるため、計測・検知を開始させるための動作が不要なため、開始動作に伴って発生する体動ノイズの発生がなく、比較的安静な状態での計測・検知が可能となる。
【００９５】
また、本実施形態によれば、脈波伝播時間の計測・血管異常の検知が完了したときに、自動的に計測・検知が終了されるため、より簡易に、脈波伝播時間を計測して、血管異常を検知することが可能となる。
【００９６】
さらに、本実施形態によれば、使用者に、計測・検知の開始や、計測・検知の終了といった計測状態を知らせることができる。
【００９７】
以上、本発明の実施の形態について説明したが、本発明は、上記実施形態に限定されるものではなく種々の変形が可能である。例えば、上記実施形態では、第１，第２心電電極１１，１２、及び第１，第２光電脈波センサ２１，２２を使用者の両手の指先に接触させたが、接触させる箇所は左半身と右半身の略対象な箇所であればよく、両手の指先に代えて、例えば左右の手のひら、前腕部、上腕部等に接触させるようにしてもよい。また、上記第２実施形態では、第１，第２心電電極１１，１２、及び第１光電脈波センサ２１を筐体５Ｂの上面に配置したが、例えば、筐体５Ｂの裏面の、使用者の中指等が接触する箇所に配置してもよい。
【００９８】
上記第３実施形態では、両足間の心電信号を取得する第３心電電極１３、第４心電電極１４を備えていたが、第３心電電極１３、第４心電電極１４は省略することもできる。また、第３実施形態に係る血管異常検知装置３に、例えば体組成計機能を付加してもよい。その場合、心電電極は体組成計の測定電極と兼用できるため、機構デザインを大きく変更することなく、機能を付加することができる。
【００９９】
上述したように、取得された心拍数や脈拍数等の計測データは、ＰＣや、ディスプレイを有する携帯型音楽プレーヤ、又はスマートフォン等に出力して表示させるような構成とすることもできる。その場合に、血管の異常判定等は、ＰＣやスマートフォン側で行ってもよい。さらには、データをサーバーに送信してサーバー側で処理を行う構成とすることもできる。このような場合、上述した脈波伝播時間単体の血管異常が疑われる範囲、左右の腕の脈波伝播時間の差の血管異常が疑われる範囲等のデータは、ＰＣや、スマートフォン、サーバー側に記憶される。
【符号の説明】
【０１００】
１，２，２Ｂ，３  血管異常検知装置
５，５Ｂ  筐体
６  本体部
７  測定プローブ
８  ケーブル
１１  第１心電電極
１２  第２心電電極
１３  第３心電電極
１４  第４心電電極
２１  第１光電脈波センサ
２２  第２光電脈波センサ
２３  第３光電脈波センサ
２４  第４光電脈波センサ
２０１  発光素子
２０２  受光素子
３１，３２，３３，３４  信号処理部
３１０  第１信号処理部
３２０  第２信号処理部
３１１  心電信号増幅部
３２１  脈波信号増幅部
３１２，３２２  アナログフィルタ
３１３，３２３  Ａ／Ｄコンバータ
３１４，３２４  ディジタルフィルタ
３１５  反転部
３２５  ２階微分処理部
３１６，３２６  ピーク検出部
３１８，３２８  ピーク補正部
３３０  脈波伝播時間計測部
３４０  記憶部
３５０  駆動部
４０  検知部
５０  表示部
６０  通信部
７０  スイッチ
７１  表裏検出部
７２  接触検出部
７３  スピーカ
【図１】
2014196514.tif 000003
【図２】
2014196514.tif 000004
【図３】
2014196514.tif 000005
【図４】
2014196514.tif 000006
【図５】
2014196514.tif 000007
【図６】
2014196514.tif 000008
【図７】
2014196514.tif 000009
【図８】
2014196514.tif 000010
【図９】
2014196514.tif 000011
【図１０】
2014196514.tif 000012
【国際調査報告】
2014196514.tif 000013
2014196514.tif 000014
2014196514.tif 000015
2014196514.tif 000016